(57)【特許請求の範囲】
【請求項１】
底部および前記底部から上方に立設される一対の側壁部を有し上側に上側開放部を有する下側ハウジングと、前記上側開放部を塞ぐように前記下側ハウジングの上側に取り付けられる上側カバーと、前記下側ハウジングの外部に露出する外端部および前記外端部から延設され前記下側ハウジングの内部に露出する内端部を有し、前記下側ハウジングに保持される複数の導電端子と、を備え、前側から後側に向かって挿入されるプラグコネクタを収納可能な収納空間が形成されているジャックコネクタであって、
前記プラグコネクタに弾接可能であり且つ前記挿入方向に沿って延在する弾接部が所望の位置に設けられている複数の弾接部材を備え、
前記弾接部材は、前記導電端子と別体的に設けられており、且つ、前記内端部と当接する圧入部を有し、前記導電端子が前記下側ハウジングに保持されている状態で、前記圧入部が前記下側ハウジングに挿入されることにより、前記圧入部が前記下側ハウジングに保持されて、前記弾接部が弾性変形可能に支持されるとともに前記導電端子に電気接続されることを特徴とするジャックコネクタ。
【請求項２】
前記上側カバーは、前記弾接部材の変位を規制する規制部を備えていることを特徴とする請求項１に記載のジャックコネクタ。
【請求項３】
複数の前記導電端子は、前記下側ハウジングと一体にインサート成形されていることを特徴とする請求項１または請求項２に記載のジャックコネクタ。
【請求項４】
複数の前記弾接部材は、金属板から切断されて外形が形成されたものであって、
前記弾接部は、前記弾接部材のそれぞれ所望の位置に突出形成されてなるものであることを特徴とする請求項１ないし請求項３のいずれかに記載のジャックコネクタ。
【発明の詳細な説明】
【技術分野】
【０００１】
本発明は、多極のプラグコネクタが挿入されるジャックコネクタに関する。
【背景技術】
【０００２】
近年、ジャックコネクタに複数の規格が存在しており、規格に対応して極数の異なるジャックコネクタが製造されている。例えば、特許文献１には、極数を調整し、多様な極数に対応して製造可能な多極ジャックが開示されている。
【０００３】
図１１は、特許文献１に記載の多極ジャック１０１を示す斜視図である。図１２は、多極ジャック１０１における本体１０２を示す斜視図である。
【０００４】
多極ジャック１０１は、多極プラグが挿入される略筒状の本体１０２と、略有底筒状の樹脂製のケース１０３とから構成され、ケース１０３の開口１３１から本体１０２が挿入されて本体１０２がケース１０３に装着されるようになっている。ケース１０３は、略有底四角筒状であり、その開口１３１の周囲に鍔部１３３が一体形成されている。ケース１０３には、延長端子部が側壁１３５の内外に突出するようにインサート成形されている。図１１に示すように、延長端子部の外端部３４２ａ〜３４２ｉは、等間隔で並置されて側壁１３５の外側に露出している。本体１０２には、多極プラグの電極と接触する端子基部が、多極プラグの９極に対応して９個設けられている。端子基部の外端側には接続端部が設けられ、接続端部の各々は本体１０２の側方から導出されている。図１２に示すように、接続端部には外側に凸の突起状に形成された接触点２１４ａ〜２１４ｉが設けられている。
【０００５】
例えば、９個の端子基部の配置箇所を有する金型を用い、９個の端子基部を有する本体１０２を形成する際には、配置箇所の全ての箇所に９個の端子基部を配置し、その状態で端子基部を樹脂にインサート成形して本体１０２を形成することが可能となる。また、同様の金型を用いて、８個の端子基部を有する本体１０２を形成する際には、配置箇所の所要箇所に８個の端子基部を配置し、その状態で端子基部を樹脂にインサート成形して本体１０２を形成すること等が可能となる。また、ケース１０３については、本体１０２の端子基部の個数に拘わらず、９個の延長端子部の配置箇所を有する金型を用い、配置箇所の全ての箇所に９個の延長端子部を配置することができる。その状態で延長端子部を樹脂にインサート成形してケース１０３を形成するようにし、このケース１０３に９個の端子基部を有する本体１０２、或いは８個の端子基部を有する本体１０２を装着して、極数の異なる多極ジャック１０１を得るようにすると好ましい。
【０００６】
これにより、本体１０２の端子基部の数を調整して多極ジャック１０１の極数を調整し、本体１０２の金型とケース１０３の金型の双方について同一の金型を使用して多様な極数の多極ジャック１０１を製造することが可能となる。
【先行技術文献】
【特許文献】
【０００７】
【特許文献１】特開２０１４−１３７８４７号公報
【発明の概要】
【発明が解決しようとする課題】
【０００８】
しかしながら、従来の多極ジャック１０１では、ケース１０３を共通の形状にしたにも関わらず、必要な極数の多極ジャックを得るためには本体１０２もインサート成形しなければならないので、複雑な構成となり、製造工程も多いものとなっていた。このため、本体１０２を製作することなく、より単純な構成で、多様な極数に対応できるジャックコネクタが望まれていた。
【０００９】
本発明は、上述した課題を解決するもので、単純な構成で多様な極数に対応できるジャックコネクタを提供することを目的とする。
【課題を解決するための手段】
【００１０】
本発明のジャックコネクタは、底部および前記底部から上方に立設される一対の側壁部を有し上側に上側開放部を有する下側ハウジングと、前記上側開放部を塞ぐように前記下側ハウジングの上側に取り付けられる上側カバーと、前記下側ハウジングの外部に露出する外端部および前記外端部から延設され前記下側ハウジングの内部に露出する内端部を有し、前記下側ハウジングに保持される複数の導電端子と、を備え、前側から後側に向かって挿入されるプラグコネクタを収納可能な収納空間が形成されているジャックコネクタであって、前記プラグコネクタに弾接可能な弾接部が所望の位置に設けられている複数の弾接部材を備え、前記弾接部材は、前記内端部と当接する圧入部を有し、前記圧入部が前記下側ハウジングに保持されて、前記弾接部が弾性変形可能に支持されるとともに前記導電端子に電気接続されることを特徴とする。
【００１１】
この構成によれば、弾接部材は、内端部と当接して、弾接部が弾性変形可能に支持されるとともに導電端子に電気接続されるので、下側ハウジングと導電端子は共通で、弾接部の位置が異なる弾接部材を適宜取り付けたジャックコネクタが提供可能である。これによって、単純な構成で多様な極数に対応できる。
【００１２】
また、本発明のジャックコネクタにおいて、前記上側カバーは、前記弾接部材の変位を規制する規制部を備えていることを特徴とする。
【００１３】
この構成によれば、上側カバーが取り付けられることによって、圧入によって保持されている弾接部材が変位しないように規制されるので、単純な構成であっても壊れにくい構造にできる。
【００１４】
また、本発明のジャックコネクタにおいて、複数の前記導電端子は、前記下側ハウジングと一体にインサート成形されていることを特徴とする。
【００１５】
この構成によれば、導電端子はインサート成形されているので、下側ハウジングに内端部が確実に固定され、側壁部と内端部とのなす溝部の寸法が安定している。
【００１６】
また、本発明のジャックコネクタにおいて、複数の前記弾接部材は、金属板から切断されて外形が形成されたものであって、前記弾接部は、前記弾接部材のそれぞれ所望の位置に突出形成されてなるものであることを特徴とする。
【００１７】
この構成によれば、外形が同じ複数の弾接部材を打ち抜きによって形成し、弾接部をそれぞれ所望の位置に突出形成することによって、規格の異なる多様な極数に対応できる。また、規格が異なっていても、必要な弾接部材の外形を共通にできる。
【発明の効果】
【００１８】
本発明によれば、弾接部材は、内端部と当接して、弾接部が弾性変形可能に支持されるとともに導電端子に電気接続されるので、下側ハウジングと導電端子は共通で、弾接部の位置が異なる弾接部材を適宜取り付けたジャックコネクタが提供可能である。したがって、単純な構成で多様な極数に対応できるジャックコネクタを提供することができる。
【図面の簡単な説明】
【００１９】
【図１】本発明の実施形態のジャックコネクタを示す斜視図である。
【図２】本発明の実施形態のジャックコネクタを示す分解斜視図である。
【図３】本発明の実施形態のジャックコネクタを示す説明図であり、下側ハウジングに導電端子を固定した状態での分解斜視図である。
【図４】本発明の実施形態のジャックコネクタを示す説明図であり、図４（ａ）は上側カバーを斜め下方から見た斜視図であり、図４（ｂ）は上側カバー以外を斜め上方から見た斜視図である。
【図５】本発明の実施形態のジャックコネクタを示す平面図である。
【図６】図５のＶＩ−ＶＩ線で切断した断面図である。
【図７】弾接部材の第１例を示す外形図であり、図７（ａ）は平面図、図７（ｂ）は右側面図、図７（ｃ）は背面図である。
【図８】弾接部材の第２例を示す外形図であり、図８（ａ）は平面図、図８（ｂ）は左側面図である。
【図９】弾接部材の第３例を示す外形図であり、図９（ａ）は平面図、図９（ｂ）は右側面図、図１０（ｃ）は背面図である。
【図１０】弾接部材の第４例を示す外形図であり、図１０（ａ）は平面図、図１０（ｂ）は左側面図である。
【図１１】従来のジャックコネクタである多極ジャックを示す斜視図である。
【図１２】図１１の多極ジャックにおける本体を示す斜視図である。
【発明を実施するための形態】
【００２０】
［第１実施形態］
以下、本発明の実施の形態について図面を用いて詳細に説明する。なお、分かりやすいように、図面は寸法を適宜変更している。
【００２１】
図１は、本発明の実施形態のジャックコネクタ１を示す斜視図である。図２は、本発明の実施形態のジャックコネクタ１を示す分解斜視図である。図３は、本発明の実施形態のジャックコネクタ１を示す説明図であり、下側ハウジング１０に導電端子３０を固定した状態での分解斜視図である。図４は、本発明の実施形態のジャックコネクタ１を示す説明図であり、図４（ａ）は上側カバー２０を斜め下方から見た斜視図であり、図４（ｂ）は上側カバー２０以外を斜め上方から見た斜視図である。図５は、本発明の実施形態のジャックコネクタ１を示す平面図である。図６は、図５のＶＩ−ＶＩ線で切断した断面図である。図７は、弾接部材４０の第１例を示す外形図であり、図７（ａ）は平面図、図７（ｂ）は右側面図、図７（ｃ）は背面図である。図８は、弾接部材４０の第２例を示す外形図であり、図８（ａ）は平面図、図８（ｂ）は左側面図である。図９は、弾接部材４０の第３例を示す外形図であり、図９（ａ）は平面図、図９（ｂ）は右側面図、図１０（ｃ）は背面図である。図１０は、弾接部材４０の第４例を示す外形図であり、図１０（ａ）は平面図、図１０（ｂ）は左側面図である。
【００２２】
本実施形態のジャックコネクタ１は、図１〜図６に示すように、下側ハウジング１０と、その上側に取り付けられる上側カバー２０と、下側ハウジング１０に保持される導電端子３０と、導電端子３０に電気接続された弾接部材４０とを備えている。ジャックコネクタ１は、これらの部材によって、図示しないプラグコネクタを収納可能な収納空間１ａが形成されている。
【００２３】
なお、以下の説明を分かりやすくするため、図１のＺ１方向を上方、Ｚ２方向を下方、Ｙ１方向を前方、Ｙ２方向を後方、Ｘ１方向を右方、Ｘ２方向を左方とする。言うまでもなく、ジャックコネクタ１の使用される際の方向を限定するものではない。
【００２４】
下側ハウジング１０は、合成樹脂により形成され、図２に示すように、底部１１および底部１１から上方に立設される一対の側壁部１２、１３と、底部１１から上方に立設される後壁部１４と、を有し、上側に上側開放部１０ａが設けられている。下側ハウジング１０の側壁部１２、１３は、それぞれ接合面１２ａ、１３ａを備えている。また、後壁部１４は接合面１４ａを備えている。接合面１２ａ、１３ａ、１４ａは、後述するように、溶着される領域である。さらに、下側ハウジング１０の側壁部１２、１３は、それぞれ溝部１２ｂ、１３ｂを備えている。溝部１２ｂ、１３ｂは後述するように、導電端子３０が露出し、弾接部材４０が圧入される領域である。
【００２５】
導電端子３０は、導電性の金属により形成され、図１〜図３および図６に示すように、下側ハウジング１０の外部に露出する外端部３０ａ、および外端部３０ａから延設され下側ハウジング１０の内部に露出する内端部３０ｂを有している。導電端子３０は、複数個が同一形状で配置され、下側ハウジング１０と一体にインサート成形されている。なお、インサート成形によって下側ハウジング１０と導電端子３０との接している界面は水密に保たれており、外端部３０ａ側へ内端部３０ｂ側から水が滲み出ることは防がれている。一方、内端部３０ｂは下側ハウジング１０の内部で側壁部１２、１３に形成された溝部１２ｂ、１３ｂに露出して設けられている。さらに、導電端子３０は、内端部３０ｂから下側ハウジング１０の上側に突出するように延設された延設部３０ｄを備えている。延設部３０ｄの中央部分には凹溝３０ｃが形成されている。
【００２６】
弾接部材４０は、導電性の金属板から切断されて外形が形成されたものであって、図２〜図４に示すように、弾接部４０ａと圧入部４０ｂとを備えている。弾接部４０ａは、プラグコネクタに弾接可能な所望の位置に突出形成されて設けられている。また、圧入部４０ｂは、バネ部４０ｃを有し、図６に示すように、溝部１２ｂ、１３ｂで導電端子３０の内端部３０ｂと当接し、圧入部４０ｂが下側ハウジング１０に保持されて、弾接部４０ａが弾性変形可能に支持されるとともに導電端子３０に電気接続される。なお、本実施形態における弾接部材４０は、図２〜図４に示すように、数種類の外形形状を有するものが配設されている。このうちの２種類の弾接部材４０を、第１例および第２例として図７および図８に示す。弾接部４０ａは、外形を打ち抜く金型とは別に、この部分だけを突出させる工程によって形成することができる。
【００２７】
上側カバー２０は、レーザを透過可能な透光性を有する合成樹脂により形成され、図１〜図６に示すように、上側開放部１０ａを塞ぐように下側ハウジング１０の上側に取り付けられる。上側カバー２０は、図４に示すように、天井部２１の外周側から下方に延設された周壁部２２を有し、周壁部２２に当接面２２ａと係止部２２ｂとを備えている。当接面２２ａは、下側ハウジング１０の側壁部１２、１３および後壁部１４に当接する領域である。一方、係止部２２ｂは、周壁部２２に形成された穴であり、図４に示すように当接面２２ａに隣接して設けられている。さらに、上側カバー２０は、弾接部材４０に近接して形成された溝状の規制部２２ｃを備えている。
【００２８】
図示しないプラグコネクタは、収納空間１ａの前側から後側に向かって挿入され、弾接部材４０を弾性変形させながら弾接部４０ａと接触し、電気的に導通する。このとき、弾接部材４０は変形しすぎないように、規制部２２ｃによって規制されている。
【００２９】
次に、本実施形態のジャックコネクタ１を組み立てる工程の順に、部材の取り付け構造について説明する。
【００３０】
本実施形態のジャックコネクタ１は、収納空間１ａに面している下側ハウジング１０と導電端子３０とが水密に接するように設けられている。具体的には、下側ハウジング１０と導電端子３０とが、インサート成形によって形成され、導電端子３０の外端部３０ａと内端部３０ｂとの間で下側ハウジング１０に埋め込まれた埋設部が水密に構成される。
【００３１】
図３に示すように、下側ハウジング１０に導電端子３０が固定され、収納空間１ａ側で導電端子３０の内端部３０ｂが側壁部１２の溝部１２ｂに露出している。この状態から、弾接部材４０の圧入部４０ｂが、導電端子３０の凹溝３０ｃに沿って上方から溝部１２ｂに挿入される。また、側壁部１３についても同様であり、下側ハウジング１０に固定された導電端子３０の内端部３０ｂが図２に示す溝部１３ｂにも露出しており、溝部１３ｂに弾接部材４０の圧入部４０ｂが上方から挿入される。
【００３２】
弾接部材４０は、例えば図７および図８に示す第１例および第２例の形状に加工されている。すなわち、弾接部材４０の圧入部４０ｂは、図７および図８に示すようなバネ部４０ｃを有しているので、溝部１２ｂ、２３ｂに挿入されると、バネ部４０ｃが弾性変形して内端部３０ｂと当接する。これにより、弾接部材４０が固定されて、弾接部４０ａが弾性変形可能に支持されるとともに導電端子３０に電気接続される。
【００３３】
さらに、上側カバー２０が、下側ハウジング１０の側壁部１２、１３および後壁部１４に当接するとともに、弾接部材４０と規制部２２ｃとが近接するように取り付けられ、上側開放部１０ａを覆って、以下のようにして組み立てられる。
【００３４】
本実施形態では、図４に示す上側カバー２０の係止部２２ｂに対して、延設部３０ｄの前後方向（Ｙ１−Ｙ２方向）の寸法をわずかに大きく製作されており、上側カバー２０の樹脂に食い込むようにして圧入される。そして、上側カバー２０は、係止部２２ｂに導電端子３０の延設部３０ｄが圧入されるとともに、周壁部２２の当接面２２ａが下側ハウジング１０の側壁部１２、１３および後壁部１４の接合面１２ａ、１３ａ、１４ａにレーザ溶着によって溶着される。本実施形態のジャックコネクタ１は、下側ハウジング１０に上側カバー２０が溶着されることによって、水密に構成される。なお、図１に示すように、ジャックコネクタ１の前方側にはフランジ部１ｂが形成され、図示しない弾性部材がフランジ部１ｂに密着されることによって、前側の水密性が保持される。
【００３５】
レーザ溶着を可能にするため、本実施形態では、上側カバー２０がレーザを透過可能な透光性を有する合成樹脂により形成され、下側ハウジング１０が上側カバー２０よりも光吸収性を有する合成樹脂により形成されている。これらの合成樹脂には、例えば、ナイロン樹脂を使用することができる。ナイロン樹脂は、顔料を含有していない場合には乳白色で透光性を有し、着色用の顔料を多く含有している場合は光吸収性を有するとともに、適度な加熱で成形することができる。これにより、上方から照射され上側カバー２０を透過したレーザが下側ハウジング１０に吸収されて、下側ハウジング１０の接合面１２ａ、１３ａ、１４ａを加熱することができる。そして、接合面１２ａ、１３ａ、１４ａと、当接する上側カバー２０の当接面２２ａとの樹脂同士が溶けて接合される。
【００３６】
なお、本実施形態では上側カバー２０はレーザ溶着によって接合される態様としたが、レーザ溶着以外の溶着方法で接合するようにしてもよい。また、接着材等で接合してもよい。
【００３７】
なお、本実施形態のジャックコネクタ１における規制部２２ｃは、挿入されたプラグコネクタに弾接して弾接部材４０が変形したときの変位を規制する。これにより、弾接部材４０が塑性変形してしまったり、圧入部４０ｂが溝部１２ｂ、１３ｂから外れてしまったりすることが防止される。したがって、弾接部材４０を圧入によって取り付けていても、弾接部材４０と導電端子３０とが一体の場合と同等の取付強度を得ることができる。
【００３８】
また、弾接部材４０を圧入によって取り付けるようにしたことで、複数の導電端子３０が同一の形状で済む。さらに、導電端子３０に延設部３０ｄを設けておくことが容易となる。なお、図２に示すように、導電端子３０の延設部３０ｄの一部には凹溝３０ｃが形成されているため、弾接部材４０を取り付ける際に凹溝３０ｃがガイドとなって、圧入部４０ｂが溝部１２ｂ、１３ｂに挿入しやすくなっている。
【００３９】
また、弾接部材４０を圧入によって取り付けるようにしたことで、下側ハウジング１０と導電端子３０とをインサート成形によって形成する金型が、より単純な形状で済むようになる。すなわち、例えば上金型と下金型との組み合わせだけで、ほとんどの形状を成形することが可能となる。このため、金型の製造コストが低減される。したがって、弾接部材４０を圧入によって取り付けていても、弾接部材４０と導電端子３０とが一体の場合と同等以下の製造コストが期待される。
【００４０】
さらに、弾接部材４０を圧入によって取り付けるようにしたことで、下側ハウジング１０と導電端子３０は共通で、弾接部４０ａの位置が異なる弾接部材４０を適宜取り付けたジャックコネクタ１が提供可能である。これによって、単純な構成で多様な極数に対応できる。例えば、プラグコネクタの極数が少ないときには、下側ハウジング１０と導電端子３０は共通で、取り付ける弾接部材４０を少なくすることができる。また、同じ極数でもプラグコネクタの接点位置が異なる場合には、下側ハウジング１０と導電端子３０は共通で、取り付ける弾接部材４０の弾接部４０ａの位置で適合させることができる。例えば、図９に示す弾接部材４０の第３例は、図７に示す弾接部材４０の第１例と同じ外形であって、弾接部４０ａの位置が異なるものである。また、図１０に示す弾接部材４０の第４例は、図８に示す弾接部材４０の第２例と同じ外形であって、弾接部４０ａの位置が異なるものである。このように、弾接部材４０は、金属板から切断されて外形が形成されたものであって、弾接部４０ａは、弾接部材４０のそれぞれ所望の位置に突出形成されてなるものが適用可能となる。
【００４１】
これらにより、下側ハウジング１０と導電端子３０は共通で済み、複数の仕様に対応することが容易となる。また、弾接部材４０の外形をできるだけ共通化して複数の仕様に対応することができる。
【００４２】
以下、本実施形態としたことによる効果について説明する。
【００４３】
本実施形態のジャックコネクタ１は、下側ハウジング１０と、下側ハウジング１０の上側に取り付けられる上側カバー２０と、下側ハウジング１０に保持される複数の導電端子３０と、プラグコネクタに弾接可能な複数の弾接部材４０を備える。そして、前側から後側に向かって挿入されるプラグコネクタを収納可能な収納空間１ａが形成されている。下側ハウジング１０は、底部１１および底部１１から上方に立設される一対の側壁部１２、１３を有し上側に上側開放部１０ａを有する。上側カバー２０は、上側開放部１０ａを塞ぐように下側ハウジング１０の上側に取り付けられる。複数の導電端子３０は、下側ハウジング１０の外部に露出する外端部３０ａおよび外端部３０ａから延設され下側ハウジング１０の内部に露出する内端部３０ｂを有している。弾接部材４０は、内端部３０ｂと当接する圧入部４０ｂを有し、圧入部４０ｂが下側ハウジング１０に保持されて、弾接部４０ａが弾性変形可能に支持されるとともに導電端子３０に電気接続される。
【００４４】
この構成によれば、弾接部材４０は、内端部３０ｂと当接して、弾接部４０ａが弾性変形可能に支持されるとともに導電端子３０に電気接続される。そのため、下側ハウジング１０と導電端子３０は共通で、弾接部４０ａの位置が異なる弾接部材４０を適宜取り付けたジャックコネクタ１が提供可能である。これによって、単純な構成で多様な極数に対応できる。
【００４５】
また、本実施形態のジャックコネクタ１において、上側カバー２０は、弾接部材４０の変位を規制する規制部２２ｃを備えている。この構成によれば、規制部２２ｃを備えた上側カバー２０が取り付けられることによって、圧入によって保持されている弾接部材４０が変位しすぎないように規制されるので、単純な構成であっても壊れにくい構造にできる。
【００４６】
また、本実施形態のジャックコネクタ１において、複数の導電端子３０は、下側ハウジング１０と一体にインサート成形されている。この構成によれば、導電端子３０はインサート成形されているので、下側ハウジング１０に内端部３０ｂが確実に固定され、側壁部１２、１３と内端部３０ｂとのなす溝部１２ｂ、１３ｂの寸法が安定している。
【００４７】
また、本実施形態のジャックコネクタ１において、複数の弾接部材４０は、金属板から切断されて外形が形成されたものであって、弾接部４０ａは、弾接部材４０のそれぞれ所望の位置に突出形成されてなるものである。この構成によれば、外形が同じ複数の弾接部材４０を打ち抜きによって形成し、弾接部４０ａをそれぞれ所望の位置に突出形成することによって、規格の異なる多様な極数に対応できる。また、規格が異なっていても、必要な弾接部材４０の外形を共通にできる。
【００４８】
以上のように、本発明の実施形態のジャックコネクタ１を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００４９】
（１）本実施形態において、複数の導電端子３０は、下側ハウジング１０と一体にインサート成形されているとしたが、インサート成形でなく、圧入や接着によって組み立ててもよい。圧入で組み立てた場合には、圧入後に例えば樹脂を充填して隙間を塞ぐことで水密に構成することもできる。
【００５０】
（２）本実施形態において、上側カバー２０は、係止部２２ｂに導電端子３０の延設部３０ｄが圧入され、周壁部２２の当接面２２ａが下側ハウジング１０の接合面１２ａ、１３ａ、１４ａに溶着されるとしたが、これに限定されない。例えば、上側カバー２０をレーザ溶着によって接合するだけでもよい。また、上側カバー２０を圧入だけで取り付けてもよい。
【００５１】
（３）本実施形態において、上側カバー２０は、弾接部材４０の変位を規制する規制部２２ｃを、弾接部材４０と近接する位置に溝状に設けていたが、弾接部４０ａの変位を妨げなければ、弾接部材４０と当接する位置に設けられていてもよい。また、上側カバー２０に規制部２２ｃを設ける代わりに、規制部を備えた中間部材を配置するようにしてもよい。
【符号の説明】
【００５２】
１      ジャックコネクタ
１ａ    収納空間
１ｂ    フランジ部
１０    下側ハウジング
１０ａ  上側開放部
１１    底部
１２    側壁部
１２ａ  接合面
１２ｂ  溝部
１３    側壁部
１３ａ  接合面
１３ｂ  溝部
１４    後壁部
１４ａ  接合面
２０    上側カバー
２１    天井部
２２    周壁部
２２ａ  当接面
２２ｂ  係止部
２２ｃ  規制部
３０    導電端子
３０ａ  外端部
３０ｂ  内端部
３０ｃ  凹溝
３０ｄ  延設部
４０    弾接部材
４０ａ  弾接部
４０ｂ  圧入部
４０ｃ  バネ部
【図１】
0006471002.tif 000002
【図２】
0006471002.tif 000003
【図３】
0006471002.tif 000004
【図４】
0006471002.tif 000005
【図５】
0006471002.tif 000006
【図６】
0006471002.tif 000007
【図７】
0006471002.tif 000008
【図８】
0006471002.tif 000009
【図９】
0006471002.tif 000010
【図１０】
0006471002.tif 000011
【図１１】
0006471002.tif 000012
【図１２】
0006471002.tif 000013